【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
表面を備えた細長い木製部材を第２本体に固定する結合システムであって、
長さを定める第１端部、第２端部と、第１側部と、第２側部とを備えたステッチング本体と、
該ステッチング本体の前記第１側部に全体的に配置された第１の複数の傾斜した締結具用ボアとを有し、該締結具用ボアの各々が、第１側部締結具要素を前記細長い木製部材の前記表面に対して少なくとも第１の角度で収納位置決めするよう構成され、
前記ステッチング本体の前記第２側部に全体的に配置された第２の複数の傾斜した締結具用ボアを有し、該第２の複数の傾斜した締結具用ボアの各々が、第２側部締結具要素を前記細長い木製部材の前記表面に対して少なくとも第２の角度で収納位置決めするよう構成され、前記第２側部締結具と前記第１側部締結具のそれぞれ１つ１つが、前記ステッチング本体の前記長さに沿って見たときに、交点を形成する、
結合システム。
【請求項２】
第１の角度と第２の角度は、等しいが、互いに逆向きの角度である、請求項１記載の結合システム。
【請求項３】
交点は、細長い木製部材の長さに平行な単一の軸線上に位置している、請求項２記載の結合システム。
【請求項４】
前記少なくとも第１の角度は、２つの互いに等しくない角度から成る、請求項１記載の結合システム。
【請求項５】
交点は、全体として細長い木製部材の長さにわたって延びる多軸線上に位置している、請求項４記載の結合システム。
【請求項６】
前記部材の長さに沿って配置された複数の垂直方向に差し向けられた締結具用ボアを更に有している、請求項１記載の結合システム。
【請求項７】
前記複数の垂直方向に差し向けられた締結具用ボアは各々、垂直方向に差し向けられた締結具要素を細長い木製部材の表面に対し垂直の状態で収納位置決めするよう構成されている、請求項６記載の結合システム。
【請求項８】
第２の複数の傾斜締結具用ボアのうち少なくとも１つは、ステッチング本体の長さに沿って第１の複数の傾斜締結具用ボアの第１のものと第２のものとの間に配置されている、請求項１記載の結合システム。
【請求項９】
第１の距離は、第２の複数の傾斜締結具用ボアのうち前記少なくとも１つと第１の複数の傾斜締結具用ボアのうちの前記第１のものを互いに分離しており、第２の距離は、第２の複数の傾斜締結具用ボアのうち前記少なくとも１つと第１の複数の傾斜締結具用ボアのうち前記第２のものとを分離しており、前記第１の距離と前記第２の距離は、異なっている、請求項８記載の結合システム。
【請求項１０】
ステッチング本体は、アンカーボルトの第１の部分に取付け可能な固定部分を更に有し、アンカーボルトは、基礎内に設けられた第２の部分を有している、請求項１記載の結合システム。
【請求項１１】
ステッチング本体と一体に形成されたエンドキャップを更に有している、請求項１記載の結合システム。
【請求項１２】
第３の複数の垂直の締結具用ボアを有し、前記複数の垂直締結具取付けボアのうち１つは、前記第１又は第２の複数の傾斜締結具用ボアのうちの少なくとも１つと関連し、関連した垂直ボアと傾斜ボアの各組は、前記第１端部と前記第２端部との間で前記本体に沿って互いに間隔を置いて位置している、請求項１記載の結合システム。
【請求項１３】
前記締結具を前記ボア内に位置決めしたとき、建物支持体に入る傾斜及び垂直締結具の密度は、２平方インチ当たり締結具が約１本である、請求項１２記載のホールドダウンシステム。
【請求項１４】
複数の垂直の締結具用ボアは、前記第２の複数の傾斜締結具用ボアと関連している前記第１側部に設けられた第１の複数のボア及び前記第１の複数の傾斜締結具用ボアと関連している前記第２側部に設けられた第２の複数の垂直締結具用ボアを有している、請求項１２記載のホールドダウンシステム。
【請求項１５】
複数の垂直締結具用ボアは、各々前記第１及び第２側部から等距離を置いたところで前記第１端部と前記第２端部との間の線に沿って位置決めされている、請求項１２記載のホールドダウンシステム。
【請求項１６】
前記複数の垂直締結具用ボアのうちの１つは、前記傾斜締結具用ボアのうち少なくとも２つと関連している、請求項１５記載のホールドダウンシステム。
【請求項１７】
ホールドダウンは、本体の頂部に係合したキャップを更に有している、請求項１２記載のホールドダウンシステム。
【請求項１８】
キャップは、本体と一体である、請求項１７記載のホールドダウンシステム。
【請求項１９】
各傾斜締結具用ボアは、締結具を支持体に対し角度をなした状態で位置決めする、請求項１２記載のホールドダウンシステム。
【請求項２０】
各前記角度は、約４５゜である、請求項１２記載のホールドダウンシステム。
【請求項２１】
ホールドダウンの長さに沿って隣り合って位置する傾斜締結具用ボアは、それぞれの締結具を互いに等しいが逆向きの角度をなして位置決めする、請求項１２記載のホールドダウンシステム。
【請求項２２】
隣り合う傾斜締結具用ボアは、それぞれの締結具を互いに異なる角度で位置決めする、請求項１２記載のホールドダウンシステム。
【請求項２３】
建物支持体を基礎に固定するホールドダウンであって、アンカーボルトの第１の部分に取り付けられる固定部分を備えた本体を有し、アンカーボルトは、基礎内に設けられた第２の部分を有し、本体は、長さ及び幅を有し、幅は、第１側部及び第２側部によって定められ、本体は、頂部及び底部を有し、前記ホールドダウンは、前記第１側部に隣接して設けられた第１の複数の傾斜した締結具用位置決めボアと、前記第２側部に隣接して設けられた第２の複数の傾斜した締結具用位置決めボアと、前記第１側部に設けられた第１の複数の全体として垂直な締結具用ボアと、前記第２側部に設けられた第２の複数の全体として垂直な締結具用ボアとを更に有し、前記第１の複数の全体として垂直の締結具用ボアの１つ１つは、前記第１の複数の傾斜締結具用位置決めボアの１つ１つと互いに介在した状態で設けられ、前記第２の複数の全体として垂直な締結具用ボアは１つ１つ、前記第２の複数の傾斜締結具用位置決めボアの１つ１つと互いに介在した状態で設けられ、第１及び第２の傾斜締結具用位置決めボアは１つ１つ、本体の長さに沿って固定本体の側部に交互に互いに距離を置いて設けられている、ホールドダウン。
【請求項２４】
前記第１の複数の傾斜締結具用ボアは各々、前記第２の複数の全体として垂直の締結具用ボアの側方に関連して位置する１つ１つと反対側に位置決めされ、前記第２の複数の傾斜締結具用ボアの各々は、前記第１の複数の全体として垂直の締結具用ボアの側方に関連した１つ１つと反対側に位置決めされている、請求項２３記載のホールドダウン。
【請求項２５】
前記第１及び第２の複数の傾斜締結具用ボアの各々及び第１及び第２の複数の全体として垂直の締結具用ボアの側方に関連した各々は、本体の長さに沿って本体の頂部から同一距離を置いたところに位置決めされている、請求項２４記載のホールドダウン。
【請求項２６】
前記第１及び第２の複数の傾斜締結具用ボアの各々及び第１及び第２の複数の全体として垂直の締結具用ボアの側方に関連した各々は、本体の長さに沿って本体の頂部から互いに異なる距離を置いたところに位置決めされている、請求項２４記載のホールドダウン。
【請求項２７】
各傾斜ボアは、ねじから成る締結具を受け入れるよう螺設されている、請求項２３記載のホールドダウン。
【請求項２８】
前記第１及び第２の複数の傾斜締結具用位置決めボア及び前記第１及び第２の複数の全体として垂直の締結具用ボア内に位置決めされた複数の締結具を更に有している、請求項２３記載のホールドダウン。
【請求項２９】
前記第１の複数の傾斜締結具用位置決めボア及び前記第２の複数の傾斜締結具用位置決めボア内に位置決めされた前記複数の締結具の交互に位置する１つ１つは、支持体の表面に対し互いに等しいが逆向きの角度をなして支持体に入る、請求項２８記載のホールドダウン。
【請求項３０】
前記第１の複数の傾斜締結具用位置決めボア及び前記第２の複数の傾斜位置決めボア内に位置決めされた前記複数の締結具の前記交互に位置する１つ１つは各々、前記本体の互いに反対側の側部の前記第１又は第２の複数の全体として垂直の締結具用ボア内に位置決めされた側方に関連した締結具に向かって傾斜している、請求項２９記載のホールドダウン。
【請求項３１】
各前記側部の前記傾斜及び垂直取付けボア内に位置決め可能な締結具の密度は、２平方インチ当たり約１本である、請求項２８記載のホールドダウン。